(57)【要約】【課題】面状に光っているように視認させることができる電飾装置の透光部を提供する。【解決手段】電飾装置の透光部であって、第１面と、前記第１面と反対の第２面と、を有する第１部材と、前記第１部材の第１面に重ねて固定された第２部材と、前記第１部材の第２面に重ねて固定された第３部材と、を備え、前記第１部材は、前記第１部材の第１面と第２面に略垂直な第３面を有し、前記第２部材は、前記第１部材の第１面に重ねられる第１面と、前記第２部材の第１面に略垂直な第３面と、を有し、前記第２部材の第１面と第３面との境界部分は、第１面取面であり、前記第３部材は、前記第１部材の第２面に重ねられる第１面と、前記第３部材の第１面に略垂直な第３面と、を有し、前記第３部材の第１面と第３面との境界部分は、第１面取面であり、前記第１部材の第３面、前記第２部材の第１面取面の少なくとも一部、および前記第３部材の第１面取面の少なくとも一部は、同一の空間に対向している、ことを特徴とする電飾装置の透光部。【選択図】図３
2019133027.tif 000002
【特許請求の範囲】
【請求項１】
電飾装置の透光部であって、
第１面と、前記第１面と反対の第２面と、を有する第１部材と、
前記第１部材の第１面に重ねて固定された第２部材と、
前記第１部材の第２面に重ねて固定された第３部材と、を備え、
前記第１部材は、前記第１部材の第１面と第２面に略垂直な第３面を有し、
前記第２部材は、前記第１部材の第１面に重ねられる第１面と、前記第２部材の第１面に略垂直な第３面と、を有し、前記第２部材の第１面と第３面との境界部分は、第１面取面であり、
前記第３部材は、前記第１部材の第２面に重ねられる第１面と、前記第３部材の第１面に略垂直な第３面と、を有し、前記第３部材の第１面と第３面との境界部分は、第１面取面であり、
前記第１部材の第３面、前記第２部材の第１面取面の少なくとも一部、および前記第３部材の第１面取面の少なくとも一部は、同一の空間に対向している、
ことを特徴とする電飾装置の透光部。
【請求項２】
前記第１部材、前記第２部材、および前記第３部材は、板状である、ことを特徴とする請求項１に記載の電飾装置の透光部。
【請求項３】
前記第１部材、前記第２部材、および前記第３部材は、半透明である、ことを特徴とする請求項１または２に記載の電飾装置の透光部。
【請求項４】
前記第１部材は、前記第３面と反対の第４面を有し、
前記第１部材の第３面、および前記第１部材の第４面の少なくとも１つは、光拡散機能が付与されている、ことを特徴とする請求項１ないし３のいずれか一項に記載の電飾装置の透光部。
【請求項５】
前記第２部材は、前記第２部材の第１面と反対の第２面と、前記第２部材の第３面と反対の第４面と、を有し、前記第２部材の第２面と第４面との境界部分は、第２面取り面であり、
前記第３部材は、前記第３部材の第１面と反対の第２面と、前記第３部材の第３面と反対の第４面と、を有し、前記第３部材の第２面と第４面との境界部分は、第２面取面である、
ことを特徴とする請求項１ないし４のいずれか一項に記載の電飾装置の透光部。
【請求項６】
前記第２部材の第４面、前記第２部材の第２面取面、前記第３部材の第４面、および、前記第３部材の第２面取面の少なくとも１つは、光拡散機能が付与されている、ことを特徴とする請求項５に記載の電飾装置の透光部。
【請求項７】
前記第１部材の第１面の前記空間側の端部の位置は、前記第２部材の第１面の前記空間側の端部の位置と異なり、
前記第１部材の第２面の前記空間側の端部の位置は、前記第３部材の第１面の前記空間側の端部の位置と異なる、
ことを特徴とする請求項１ないし６のいずれか一項に記載の電飾装置の透光部。
【請求項８】
請求項１ないし７のいずれか一項に記載の透光部と、前記空間に配置された光源と、を備える電飾装置。
【請求項９】
請求項１に記載の電飾装置の透光部を作製する方法であって、
３つの部材を準備すること、
前記部材のうちの２つ部材に対して、面取り加工すること、
面取り加工された前記２つの部材の面取面を端部に有する面同士を対向させ、その間に前記部材のうちの残りの部材を挿入すること、および
前記３つの部材を重ねて接着剤で固定すること、を含む、ことを特徴とする作製方法。
【発明の詳細な説明】
【技術分野】
【０００１】
本発明は、電飾装置の透光部に関に関する。
【背景技術】
【０００２】
各種の商業施設などにおいて、光の列を想起させる電飾装置が使用されている。たとえば、ゲーム機などの遊戯機器の筐体に設置されている電飾部やタイトルパネルに、種々の色やパターンで点灯や点滅しているものがあり、集客効果を向上させるためやゲームの雰囲気を盛り上げる演出のために使用されている。
【０００３】
特許文献１には、筐体に電飾装置を備えるゲーム機が開示されている。また、特許文献２には、複数の発光ダイオード（ＬＥＤ）を用いた電飾装置が開示されている。
【先行技術文献】
【特許文献】
【０００４】
【特許文献１】特開２００７−１３０３７８号公報
【特許文献２】特開平１０−０８３１４８号公報
【発明の概要】
【発明が解決しようとする課題】
【０００５】
電飾装置では、光源を半透明の透光部によって覆い、光源からの光を透光部で拡散（散乱）させて、透光部から光を出射している。複数の光源が使用される電飾装置において、隣り合う光源の間は非発光領域となるため、点灯時に透光部で光が点状に視認される（粒感を与える）ことがあった。ここでいう点状に視認（粒感）とは、目視などで透光部を確認したときに、複数の光源が個々に独立して確認されることをいう。
【０００６】
透光部からの光を、点状でなく（粒感を出さず）、面状（大きな面積）に視認させる方法としては、隣り合う光源の間隔を短くする方法、光源と透光部との距離を長くする方法などがある。しかしながら、光源の間隔を小さくすると、光源の数が多くなり、消費電力および製造コストの増加が生じる。また、電飾装置の設置対象または設置場所によっては、奥行方向に空間が取れないため、光源と透光部との距離を長くできないことがあった。
【０００７】
本発明は、面状に光っているように視認させることができる電飾装置の透光部を提供することを目的とする。
【課題を解決するための手段】
【０００８】
本発明の目的を達成するために、例えば、本発明の電飾装置の透光部は以下の構成を備える。すなわち、
電飾装置の透光部であって、
第１面と、前記第１面と反対の第２面と、を有する第１部材と、
前記第１部材の第１面に重ねて固定された第２部材と、
前記第１部材の第２面に重ねて固定された第３部材と、を備え、
前記第１部材は、前記第１部材の第１面と第２面に略垂直な第３面を有し、
前記第２部材は、前記第１部材の第１面に重ねられる第１面と、前記第２部材の第１面に略垂直な第３面と、を有し、前記第２部材の第１面と第３面との境界部分は、第１面取面であり、
前記第３部材は、前記第１部材の第２面に重ねられる第１面と、前記第３部材の第１面に略垂直な第３面と、を有し、前記第３部材の第１面と第３面との境界部分は、第１面取面であり、
前記第１部材の第３面、前記第２部材の第１面取面の少なくとも一部、および前記第３部材の第１面取面の少なくとも一部は、同一の空間に対向している、
ことを特徴とする電飾装置の透光部。
【発明の効果】
【０００９】
本発明によれば、面状に光っているように視認させることができる電飾装置の透光部を提供することができる。
【図面の簡単な説明】
【００１０】
【図１】本実施形態に係る電飾装置の透光部の斜視図。
【図２】本実施形態に係る透光部を備える電飾装置の部分拡大した概略図。
【図３】本実施形態に係る透光部のａ−ａ断面図。
【図４】本実施形態に係る透光部のａ−ａ断面における分解断面図。
【図５】本実施形態に係る透光部の側面図。
【図６】別の実施形態に係る電飾装置の透光部の側面図。
【図７】本実施形態に係る電飾装置の透光部の固定前の斜視図。
【発明を実施するための形態】
【００１１】
以下、本発明を適用できる実施形態を図面に基づいて説明する。ただし、本発明の範囲は以下の実施形態に限定されるものではない。
【００１２】
本実施形態に係る電飾装置の透光部は、第１部材と、第１部材に重ねて固定される第２部材および第３部材と、を備えている。第１部材は重ね面に略垂直な面を有し、第２部材は重ね面に略垂直な面と、この面に隣接する面取面とを有し、第３部材は重ね面に略垂直な面と、この面に隣接する面取面とを有し、第１部材の面、第２部材の面取面、および第３部材の面取面は、同一の空間に対向している。
【００１３】
本実施形態に係る電飾装置の透光部は、第１部材の面、第２部材の面取面、および第３部材の面取面が対向する空間に光源を配置して利用されるものであり、光源と、透光部の入射光端面との間に空間を有することで、第１部材、第２部材、および第３部材の間の明暗のバランスが取れ、透光部が面状に光っているように視認させることができるものである。
【００１４】
（本実施形態に係る電飾装置の透光部）
図１は、本実施形態に係る電飾装置の透光部の斜視図を示す。電飾装置の透光部１０は、第１部材１１と、第２部材１２と、第３部材１３と、を含んでいる。一実施形態において、第１部材１１、第２部材１２、および第３部材は、板状材料から形成されている。ここで、第１部材１１、第２部材１２、および第３部材の積層方向をＸ軸方向とし、透光部１０の長手方向をＹ軸方向とし、Ｘ軸およびＹ軸と直交する方向をＺ軸方向とする。
【００１５】
第１部材１１、第２部材１２、および第３部材を構成する各々の板状材料は、同じ材料であっても、異なる材料であってもよい。一実施形態において、板状材料は、半透明（乳白色）の材料で構成される。たとえば、板状材料としては、アクリル樹脂、ポリカーボネートなどの有機材料、ガラスなどの無機材料、または、シリコーンなどの無機および有機の両方の特性を併せもつ材料などが例示される。
【００１６】
一実施形態において、電飾装置の透光部１０は、Ｙ軸方向の両端部にＺ軸方向に段差を有しており、この段差は電飾装置の設置対象に取り付ける取付部１４である。取付部１４は、設置対象に応じて、透光部１０における位置および形状が変更され得、透光部１０を設置対象に接着剤などで固定する場合や、設置対象へ他の固定手段で固定する場合は、取付部１４を設けないこともできる。
【００１７】
図２は、本実施形態に係る透光部を備える電飾装置の部分拡大した概略図を示す。つまり、図２は、図１に示す透光部１０を備える電飾装置の端部側を含む部分を拡大した概略図である。電飾装置は、透光部１０および光源１５を含んでおり、透光部１０は、光源１５を覆うように配置されている。透光部１０に、Ｚ軸方向と略平行な方向から光源１５の光が入射され、矢印ｃのように透光部１０の種々の面から光が出射される。
【００１８】
一実施形態において、光源１５としては、たとえば、発光ダイオード（ＬＥＤ）が挙げられ、複数のＬＥＤが略等間隔で配置され、連結された線状発光体が挙げられる。一実施形態において、線状発光体は、直径約３ｍｍのＬＥＤが約１６ｍｍ間隔で配置されたものが例示される。また、後述するように、透光部１０は、設置対象の設置部分の形態に応じて、直線状形状、湾曲形状または屈曲形状など種々形態とされ得、光源１５としては、複数のＬＥＤがシリコーンチューブなどに挿入されたフレキシブルな線状発光体が利用され得る。
【００１９】
一実施形態において、光源１５は接続部１６に連結されており、接続部１６は、光の色や点灯や点滅のパターンなどを制御する制御部（図示せず）および電源（図示せず）に接続される。たとえば、全体として光源の光が一定方向に面状に流れているよう視認できるように、制御部は、線状発光体の各光源に供給される電力を制御することができるものである。
【００２０】
次に、透光部１０を構成する第１部材１１、第２部材１２、および第３部材１３について説明する。図３は、図１の本実施形態に係る透光部のａ−ａ断面図を示す。なお、本実施形態に係る透光部の説明の便宜上、図３は光源１５も示している。また、図４は、図１の本実施形態に係る透光部のａ−ａ断面における分解断面図を示す。
【００２１】
（第１部材）
第１部材１１は、第１面１７と、第１面１７と反対の第２面１８と、光源１５と対向する第３面１９と、第３面１９と反対の第４面２０と、を有している。一実施形態において、第１面１７および第２面１８と、第３面１９および第４面２０とは、略垂直である。
【００２２】
一実施形態において、第１部材の第３面１９および第４面２０には、光源１５が発する光をさらに拡散（散乱）させるために、光拡散（光散乱）機能を付与することができる。たとえば、光拡散（光散乱）機能は、第１部材の第３面１９および第４面２０に、ローレット加工などにより凹凸を形成すること、光を拡散（散乱）させるシートまたは膜を設けること、または、着色することで付与される。
【００２３】
（第２部材、第３部材）
第２部材１２は、第１部材に重ねて固定されるもので、第１部材の第１面１７に重ねられる第１面２１と、第２部材の第１面２１と反対の第２面２２と、光源１５側の第３面２３と、第２部材の第３面２３と反対の第４面２４と、を有している。第２部材の第１面２１と第３面２３との境界部分は、面取り加工された第１面取面２５である。一実施形態において、第２部材の第２面２２と第４面２４との境界部分も、面取り加工された第２面取面２６である。一実施形態において、第２面２１および第２面２２と、第３面２３および第４面２４とは、略垂直である。
【００２４】
第３部材１３は、第１部材に重ねて固定されるもので、第１部材の第２面１８に重ねられる第１面２７と、第３部材の第１面２７と反対の第２面２８と、光源１５側の第３面２９と、第３部材の第３面２９と反対の第４面３０と、を有している。第３部材の第１面２７と第３面２９との境界部分は、面取り加工された第１面取面３１である。一実施形態において、第２部材の第２面２８と第４面３０との境界部分も、面取り加工された第２面取面３２である。一実施形態において、第２面２７および第２面２８と、第３面２９および第４面３０とは、略垂直である。
【００２５】
本実施形態に係る透光部１０は、第１部材の第３面１９、第２部材の第１面取面２５の少なくとも一部、および第３部材の第１面取面３１の少なくとも一部が、同一の空間に対向しているものである。別の表現をすれば、第２部材の第３面２３、および、第３部材の第３面２９が、第１部材の第３面１９より光源１５側に位置するものである。つまり、透光部１０は、第２部材の面取面２５、第１部材の第３面１９、および第３部材の面取面３１によって形成された凹み形状を備えるもので、上記空間に配置される光源１５を凹み形状で離間して覆うものである。透光部１０が、このような凹み形状を有することで、光源１５と、入射光端面との間に空間ができ、第１部材、第２部材、および第３部材の間の明暗のバランスが取れ、透光部１０が面状に光っているように視認させることができる。
【００２６】
一実施形態において、第２部材の第４面２４および第２面取面２６、および第３部材の第４面３０および第２面取面３２には、光源１５が発する光をさらに拡散（散乱）させるために、第１部材と同様の光拡散（光散乱）機能を付与することができる。たとえば、第２部材の第４面２４および第２面取面２６、および第３部材の第４面３０および第２面取面３２に、ローレット加工などにより凹凸を形成することができる。一実施形態において、第２部材の第１面取面２５、および第３部材の第１面取面３１は、面取り加工のままとすることができる。
【００２７】
（各部材の寸法）
図５は、本実施形態に係る透光部の側面図を示す。図５は、図１に示す矢印ｂ側から見た側面図である。以下の説明は、一実施形態における透光部１０の各部材１１、１２、１３の寸法の例示であって、これに限定されるものでない。
【００２８】
第１部材１１、第２部材１２、および第３部材１３の厚さｔ１、ｔ２、ｔ３は、一実施形態において２ｍｍ以上、別の実施形態において３ｍｍ以上であり、一実施形態において１０ｍｍ以下、別の実施形態において７ｍｍ以下である。厚さｔ１、ｔ２、ｔ３は、同じ厚さであっても、異なる厚さであってもよい。たとえば、厚さｔ１、ｔ２、ｔ３はいずれも５ｍｍが例示される。
【００２９】
第１部材１１のＺ軸方向の長さＬ１は、一実施形態において５ｍｍ以上、別の実施形態において８ｍｍ以上であり、一実施形態において２０ｍｍ以下、別の実施形態において１５ｍｍ以下である。たとえば、長さＬ１は、１２ｍｍが例示される。
【００３０】
第２部材の第３面２３と第２部材の第４面２４の間の長さＬ２、または、第３部材の第３面２９と第３部材の第４面３０の間の長さＬ２は、一実施形態において７ｍｍ以上、別の実施形態において１０ｍｍ以上であり、一実施形態において３０ｍｍ以下、別の実施形態において２０ｍｍ以下である。たとえば、長さＬ２は、１５ｍｍが例示される。
【００３１】
第２部材の第３面２３、および、第３部材の第３面２９は、第１部材の第３面１９より光源１５側に位置しており、第２部材の第３面２３、および、第３部材の第３面２９は、略同一平面内に位置することができる。第２部材の第３面２３および第３部材の第３面２９の少なくとも一方と、第１部材の第３面１９との段差（Ｌ２−Ｌ１）は、一実施形態において２ｍｍ以上、別の実施形態において３ｍｍ以上であり、一実施形態において１０ｍｍ以下、別の実施形態において５ｍｍ以下である。たとえば、段差は、３ｍｍが例示される。一方、第１部材の第４面２０、第２部材の第４面２４、および第３部材の第４面３０は、略同一平面内に位置することができる。
【００３２】
第２部材の第１面取面２５、および第３部材の第１面取面３１は、一実施形態においてＣ３以上、別の実施形態においてＣ４以上であり、一実施形態においてＣ８以下、別の実施形態においてＣ６以下である。第２部材の第２面取面２６、および第３部材の第２面取面３２は、一実施形態においてＣ２以上、別の実施形態においてＣ３以上であり、一実施形態においてＣ７以下、別の実施形態においてＣ５以下である。一実施形態において、第２部材の第１面取面２５、および第３部材の第１面取面３１は、第２部材の第２面取面２６、および第３部材の第２面取面３２より大きく面取りされることができる。
【００３３】
一実施形態において、透光部１０の取付部１４における、第１部材の取付面３３、第２部材の取付面３４および第３部材の取付面３５は、略同一平面内に位置することができる。また、これらの取付面３３、３４、３５には、光源１５が発する光をさらに拡散（散乱）させるために、光拡散（光散乱）機能を付与してもよい。
【００３４】
（透光部の形態）
図６は、別の実施形態に係る電飾装置の透光部の側面図を示す。図６は、Ｘ軸方向から見た側面図である。透光部１０は、図１に示すような直線状形状のみならず、設置対象に応じてＺ軸方向、およびＸ軸方向の少なくとも一方に湾曲または屈曲した形状とすることができる。図６は、透光部１０がＺ軸方向に湾曲した形状であるものを示している。
【００３５】
（透光部の作製方法）
本実施形態に係る透光部の作製方法は、（１）３つの部材を準備すること、（２）３つの部材のうちの２つの部材に面取り加工すること、（３）面取り加工された２つの部材の面取面を端部に有する面同士を対向させ、その間に残りの１つの部材を挿入すること、（４）３つの部材を重ねて接着剤で固定すること、を含む。
【００３６】
一実施形態において、３つの部材は板状材料で構成される。たとえば、板状材料は板厚５ｍｍの半透明の板状アクリル樹脂が例示される。
【００３７】
一実施形態において、２つの部材の面取り加工は、切断、切削などで行われる。図７は、図１の本実施形態に係る電飾装置の透光部の固定前の斜視図を示す。図７において、面取り加工される２つの部材である、第２部材１２および第３部材１３には、複数の加工が施されている。２つの部材に面取り加工することは、第２部材１２の第１面２１と第３面２３との境界部分、および第３部材１３の第１面２７と第３面２９との境界部分を面取り加工することである。一実施形態において、図７に示すように、部材の固定前に、第１部材１１、第２部材１２、および第３部材１３に他の加工（面取り加工、光拡散機能を付与する加工、取付部の形成など）を施すことができる。また、ここで採用される加工方法は、特に限定されるものでない。
【００３８】
一実施形態において、面取り加工された２つの部材の面取面を端部に有する面同士を対向させ、その間に残りの部材を挿入することは、たとえば、図７に示すように、第２部材１２の第１面取面２５を端部に有する第１面２１と、第３部材１３の第１面取面３１を端部に有する第１面２７とを対向させ、その間に第１部材を挿入することである。
【００３９】
一実施形態において、３つの部材を重ねて接着剤で固定することは、たとえば、図７に示すように、第１部材１１の第１面１７、または、第２部材１２の第１面２１に接着剤３６を塗布して、図１に示すように、両面を重ねあわせて固定すること、および第１部材１１の第２面１８、または、第３部材１３の第１面２７に接着剤３６を塗布して、図１に示すように、両面を重ねあわせて固定することである。接着剤３６は、特に限定されるものでなく、板状部材の材質によって選択される。また、この際に、本実施形態の電飾装置の透光部となるように、第２部材１２の第３面２３、および、第３部材１３の第３面２９が、第１部材１１の第３面１９より光源１５側に位置するように固定する。
【００４０】
ここで、図３を参照する。図３は、図１に示す透光部のａ−ａ断面図であり、図７に示す第１部材１１、第２部材１２、および第３部材１３を重ねて固定されたものの断面図に相当する。点線丸枠ｄで示されるように、第１部材１１の第１面１７の光源側（空間側）の端部の位置が、第２部材１２の第１面２１の光源側（空間側）の端部の位置と異なり、段差が設けられている。同様に、第１部材１１の第２面１８の光源側（空間側）の端部の位置が、第３部材１３の第１面２７の光源側（空間側）の端部の位置と異なり、段差が設けられている。これにより、第１部材と、第２部材および第３部材との固定の際に、接着剤３６が、固定面（重ねあわせ面）から広がったとしても、段差部分に留まる。つまり、光の入射端面となり得る、第１部材の第３面１９、第２部材の第３面２３、第２部材の面取面２５、第３部材の第３面２９、および第３部材の面取面３１に接着剤３６が広がることを抑制することができる。これにより、透光部の面状発光がより良くなる。
【００４１】
別の実施形態において、第２部材１２、および第３部材１３は、クランプなどにより固定することができる。このような、第１部材１１、第２部材１２、および第３部材１３の固定を、接着剤を使用しない方法、または接着剤が固定面から広がらない量で接着する方法などの場合、上記の段差を設けなくてもよい。
【００４２】
一実施形態に係る透光部の作製方法は、３つの部材を加工および固定するものであるが、たとえば、第２部材および第３部材の重ね合わせ面側、または重ね合わせ面と反対側にさらに部材を固定することもできる。
【００４３】
また、透光部を射出成型のような成型などにより作製するには、透光部の形態に応じた金型などが必要となり、設置対象や発光形状に応じて種々の透光部を作製することが困難である。しかし、本実施形態に係る透光部の作製方法は部材を切削加工などして固定するものであるため、図６に示すＺ軸方向に湾曲した透光部などの種々の形態の透光部を容易に作製できる。
【００４４】
一実施形態において、透過部は、ゲーム機、パチンコ、スロットマシンなどで使用される遊戯機器用透光部、車両用透光部、ディスプレイケースなどで利用され得る。
【符号の説明】
【００４５】
１０    透光部、１１    第１部材、１２    第２部材、１３    第３部材、１４    取付部、１５    光源、１６    接続部、１７    第１部材の第１面、１８    第１部材の第２面、１９    第１部材の第３面、２０    第１部材の第４面、２１    第２部材の第１面、２２    第２部材の第２面、２３    第２部材の第３面、２４    第２部材の第４面、２５    第１面取面、２６    第２面取面、２７    第３部材の第１面、２８    第３部材の第２面、２９    第３部材の第３面、３０    第３部材の第４面、３１    第１面取面、３２    第２面取面、３３    第１部材の取付面、３４    第２部材の取付面、３５    第３部材の取付面、３６    接着剤
【図１】
2019133027.tif 000003
【図２】
2019133027.tif 000004
【図３】
2019133027.tif 000005
【図４】
2019133027.tif 000006
【図５】
2019133027.tif 000007
【図６】
2019133027.tif 000008
【図７】
2019133027.tif 000009
【手続補正書】
【提出日】平成31年3月26日(2019.3.26)
【手続補正１】
【補正対象書類名】特許請求の範囲
【補正対象項目名】全文
【補正方法】変更
【補正の内容】
【特許請求の範囲】
【請求項１】
電飾装置の透光部であって、
第１面と、前記第１面と反対の第２面と、を有する第１部材と、
前記第１部材の第１面に重ねて固定された第２部材と、
前記第１部材の第２面に重ねて固定された第３部材と、を備え、
前記第１部材は、前記第１部材の第１面と第２面に略垂直な第３面を有し、
前記第２部材は、前記第１部材の第１面に重ねられる第１面と、前記第２部材の第１面に略垂直な第３面と、を有し、前記第２部材の第１面と第３面との境界部分は、第１面取面であり、
前記第３部材は、前記第１部材の第２面に重ねられる第１面と、前記第３部材の第１面に略垂直な第３面と、を有し、前記第３部材の第１面と第３面との境界部分は、第１面取面であり、
前記第１部材の第３面、前記第２部材の第１面取面の少なくとも一部、および前記第３部材の第１面取面の少なくとも一部は、同一の空間に対向しており、
前記空間には、光源が配置され、
前記第１部材は、前記第１部材の第３面と反対の第４面を有し、
前記第２部材は、前記第２部材の第１面と反対の第２面と、前記第２部材の第３面と反対の第４面と、を有し、前記第２部材の第２面と第４面との境界部分は、第２面取面であり、
前記第３部材は、前記第３部材の第１面と反対の第２面と、前記第３部材の第３面と反対の第４面と、を有し、前記第３部材の第２面と第４面との境界部分は、第２面取面であり、
前記第１部材の第４面、前記第２部材の第４面と第２面取面、および前記第３部材の第４面と第２面取面は、平面である、
ことを特徴とする電飾装置の透光部。
【請求項２】
前記第１部材、前記第２部材、および前記第３部材は、板状である、ことを特徴とする請求項１に記載の電飾装置の透光部。
【請求項３】
前記第１部材、前記第２部材、および前記第３部材は、半透明である、ことを特徴とする請求項１または２に記載の電飾装置の透光部。
【請求項４】
前記第１部材は、前記第３面と反対の第４面を有し、
前記第１部材の第３面、および前記第１部材の第４面の少なくとも１つは、光拡散機能が付与されている、ことを特徴とする請求項１ないし３のいずれか一項に記載の電飾装置の透光部。
【請求項５】
前記第２部材の第４面、前記第２部材の第２面取面、前記第３部材の第４面、および、前記第３部材の第２面取面の少なくとも１つは、光拡散機能が付与されている、ことを特徴とする請求項１ないし４のいずれか一項に記載の電飾装置の透光部。
【請求項６】
前記第１部材の第１面の前記空間側の端部の位置は、前記第２部材の第１面の前記空間側の端部の位置と異なり、
前記第１部材の第２面の前記空間側の端部の位置は、前記第３部材の第１面の前記空間側の端部の位置と異なる、
ことを特徴とする請求項１ないし５のいずれか一項に記載の電飾装置の透光部。
【請求項７】
請求項１ないし６のいずれか一項に記載の透光部と、前記空間に配置された光源と、を備える電飾装置。
【請求項８】
請求項１に記載の電飾装置の透光部を作製する方法であって、
３つの部材を準備すること、
前記部材のうちの２つ部材に対して、面取り加工すること、
面取り加工された前記２つの部材の面取面を端部に有する面同士を対向させ、その間に前記部材のうちの残りの部材を挿入すること、および
前記３つの部材を重ねて接着剤で固定すること、を含む、ことを特徴とする作製方法。